(57)【要約】【課題】ノズルの内部に配置されたメッシュ部材の破損を抑制することができる泡吐出具及び泡吐出容器を提供する。【解決手段】容器本体１０の口部１１に装着される装着キャップ３０と、ノズル６２を備えた押下げヘッド６０と、装着キャップ３０に支持され押下げヘッド６０の押下げ操作により作動するポンプ４０と、ポンプ４０に接続された吸引用パイプ５０と、ノズル６２の内部に配置されたメッシュ部材７０とを備え、吸引用パイプ５０から吸引した内容液を空気と混合しつつメッシュ部材７０を通してノズル６２から泡状に吐出する泡吐出具２０であって、ノズル６２の内部に内容液が流通する流通孔８１を備えた保護部８０が設けられ、メッシュ部材７０が保護部８０に重ねて配置されていることを特徴とする泡吐出具２０、及び、容器本体１０と上記構成の泡吐出具２０とを有することを特徴とする泡吐出容器１。【選択図】図２
2020186005.tif 000002
【特許請求の範囲】
【請求項１】
容器本体の口部に装着される装着キャップと、ノズルを備えた押下げヘッドと、前記装着キャップに支持され前記押下げヘッドの押下げ操作により作動するポンプと、前記ポンプに接続された吸引用パイプと、前記ノズルの内部に配置されたメッシュ部材とを備え、前記吸引用パイプから吸引した内容液を空気と混合しつつ前記メッシュ部材を通して前記ノズルから泡状に吐出する泡吐出具であって、
前記ノズルの内部に内容液が流通する流通孔を備えた保護部が設けられ、
前記メッシュ部材が前記保護部に重ねて配置されていることを特徴とする泡吐出具。
【請求項２】
前記ノズルが前記吸引用パイプを挿通可能な形状に形成され、
前記流通孔が前記吸引用パイプを挿通不能な形状に形成されている、請求項１に記載の泡吐出具。
【請求項３】
前記保護部が複数の前記流通孔を備えた格子状に形成されている、請求項１または２に記載の泡吐出具。
【請求項４】
前記保護部が、それぞれ前記ノズルの内周面から突出して互いに端面を対向させて配置された一対の仕切り壁と、
それぞれの前記仕切り壁の端面に一体に設けられ、該端面から前記ノズルの軸心に向けて突出する一対の突起と、を有する請求項１または２に記載の泡吐出具。
【請求項５】
内容液を収容する前記容器本体と、
請求項１〜４の何れか１項に記載の前記泡吐出具と、有することを特徴とする泡吐出容器。
【発明の詳細な説明】
【技術分野】
【０００１】
本発明は、容器本体に収容された内容液を泡状に吐出する泡吐出具及び泡吐出容器に関する。
【背景技術】
【０００２】
従来、ハンドソープ、ボディソープ、シャンプー、洗顔料等の液体を内容液として収容する容器として、内容液を収容する容器本体に、容器本体の口部に装着される装着キャップと、ノズルを備えた押下げヘッドと、装着キャップに支持されて押下げヘッドの押下げ操作により作動するポンプと、ポンプに接続された吸引用パイプと、ノズルの内部に配置されたメッシュ部材とを備えた泡吐出具を装着した構成を有し、押下げヘッドを押下げ操作してポンプを作動させることで、吸引用パイプから吸引した内容液を空気と混合しつつメッシュ部材を通してノズルから泡状に吐出するようにした泡吐出容器が知られている（例えば特許文献１参照）。このようなポンプ式の泡吐出具ないし泡吐出容器によれば、ノズルの内部に配置したメッシュ部材により、空気と混合された内容液をより肌理の細かい泡状としてノズルから吐出することができる。
【先行技術文献】
【特許文献】
【０００３】
【特許文献１】特開２０１８−５２６０１号公報
【発明の概要】
【発明が解決しようとする課題】
【０００４】
しかし、上記従来の泡吐出具ないし泡吐出容器のように、ノズルの内部にメッシュ部材を配置した構成では、ノズルの内部に不意に細長い部材が侵入してメッシュ部材が破損する虞があるという問題があった。
【０００５】
例えば、ノズルが吸引用パイプを挿通可能な形状に形成されている場合には、容器本体に装着される前の多量の泡吐出具を運搬等する際に、泡吐出具のノズルの内部に他の泡吐出具の吸引用パイプが不意に侵入し、メッシュ部材を破損させる虞がある。また、容器本体に泡吐出具を装着した後の使用状態においても、ノズルの内部に細長い部材が不意に侵入してメッシュ部材を破損させる虞がある。
【０００６】
本発明は、このような問題を解決するために開発されたものであり、その目的は、ノズルの内部に配置されたメッシュ部材の破損を抑制することができる泡吐出具及び泡吐出容器を提供することにある。
【課題を解決するための手段】
【０００７】
本発明の泡吐出具は、容器本体の口部に装着される装着キャップと、ノズルを備えた押下げヘッドと、前記装着キャップに支持され前記押下げヘッドの押下げ操作により作動するポンプと、前記ポンプに接続された吸引用パイプと、前記ノズルの内部に配置されたメッシュ部材とを備え、前記吸引用パイプから吸引した内容液を空気と混合しつつ前記メッシュ部材を通して前記ノズルから泡状に吐出する泡吐出具であって、前記ノズルの内部に内容液が流通する流通孔を備えた保護部が設けられ、前記メッシュ部材が前記保護部に重ねて配置されていることを特徴とする。
【０００８】
本発明の泡吐出具は、上記構成において、前記ノズルが前記吸引用パイプを挿通可能な形状に形成され、前記流通孔が前記吸引用パイプを挿通不能な形状に形成されているのが好ましい。
【０００９】
本発明の泡吐出具は、上記構成において、前記保護部が複数の前記流通孔を備えた格子状に形成されているのが好ましい。
【００１０】
本発明の泡吐出具は、上記構成において、前記保護部が、それぞれ前記ノズルの内周面から突出して互いに端面を対向させて配置された一対の仕切り壁と、それぞれの前記仕切り壁の端面に一体に設けられ、該端面から前記ノズルの軸心に向けて突出する一対の突起と、を有するのが好ましい。
【００１１】
本発明の泡吐出容器は、内容液を収容する前記容器本体と、上記泡吐出具と、有することを特徴とする。
【発明の効果】
【００１２】
本発明によれば、ノズルの内部に配置されたメッシュ部材の破損を抑制することができる泡吐出具及び泡吐出容器を提供することができる。
【図面の簡単な説明】
【００１３】
【図１】本発明の一実施の形態である泡吐出具を備えた泡吐出容器を、ノズルと容器本体の一部を切り欠いて示す側面図である。
【図２】ノズルを図１に示す矢視Ａから見た図である。
【図３】図２おけるＢ−Ｂ線に沿う断面図である。
【図４】変形例の泡吐出具の側面図である。
【図５】変形例の泡吐出具のノズルの要部を拡大して示す拡大図である。
【図６】変形例の泡吐出具のノズルを図５に示す矢視Ｃから見た図である。
【発明を実施するための形態】
【００１４】
以下、図面を参照しつつ、本発明の一実施形態に係る泡吐出具及び泡吐出容器について詳細に例示説明する。
【００１５】
図１に示すように、本発明の一実施の形態である泡吐出容器１は、容器本体１０と泡吐出具２０とを有している。
【００１６】
容器本体１０は、合成樹脂製のブロー成形品であり、円筒状の口部１１と口部１１に連なる胴部１２とを備えたボトル形状となっている。容器本体１０は、その内部に、例えばハンドソープ、ボディソープ、シャンプー、洗顔料等の発泡性を有する液体を内容液として収納することができる。
【００１７】
なお、容器本体１０は、口部１１を備えるとともに内部に内容液を収納可能な構成であれば、その形状や材質、製造方法等は種々変更可能である。
【００１８】
泡吐出具２０は、容器本体１０に装着して用いられるものであり、装着キャップ３０、ポンプ４０、吸引用パイプ５０及び押下げヘッド６０を備えている。
【００１９】
装着キャップ３０は、例えば合成樹脂材料により周壁３１と天壁３２とを有する有頂筒状に形成される。周壁３１の内周面には雌ねじ部（不図示）が設けられており、この雌ねじ部が容器本体１０の口部１１の外周面に設けられた雄ねじ部（不図示）にねじ結合して、装着キャップ３０つまり泡吐出具２０は容器本体１０の口部１１に装着されている。
【００２０】
なお、装着キャップ３０は、容器本体１０の口部１１にねじ結合により装着される構成に限らず、例えば、アンダーカット係合を用いた打栓など、他の構成により容器本体１０の口部１１に固定することもできる。また、装着キャップ３０は、容器本体１０の口部１１に装着されてポンプ４０を支持することができるものであれば、その形状も種々変更可能である。
【００２１】
ポンプ４０は、装着キャップ３０の軸心に沿った円筒状に形成された空気供給部４１と空気供給部４１よりも小径の円筒状に形成されて空気供給部４１に連なる液体供給部４２とを備えている。空気供給部４１と液体供給部４２は装着キャップ３０と同軸に縦向きの姿勢で配置されている。ポンプ４０は、空気供給部４１の上端側部分において装着キャップ３０に支持されて容器本体１０の内部に吊り下げ保持されている。
【００２２】
吸引用パイプ５０はポンプ４０の下端に接続され、ポンプ４０の液体供給部４２に連通している。吸引用パイプ５０の下端の吸引口５１は、容器本体１０の底部分に開口している。吸引用パイプ５０は、例えば柔軟な合成樹脂製とすることができるが、硬質の合成樹脂製とするなど、その材質等は種々変更可能である。
【００２３】
押下げヘッド６０は、例えば略円形に形成される操作面６１ａを上面に有するヘッド部６１と、ヘッド部６１の側部に一体に連なるノズル６２とを備えている。ノズル６２は、ヘッド部６１から斜め下方に向けて延びており、その内部は内容液の流路６２ａとなっている。図２、図３に示すように、本実施の形態においては、ノズル６２は、軸線方向に垂直な断面が横長の略長方形状となる角筒状であるとともに、基端側（流路６２ａの上流側）から先端側（流路６２ａの下流側）に向けて徐々に軸線方向に垂直な断面積（流路６２ａの断面積）が拡大する形状となっている。
【００２４】
詳細は図示しないが、ポンプ４０は押下げヘッド６０に向けて上方に突出するステムを備えており、押下げヘッド６０はステムの上端に固定されている。ノズル６２の内部の流路６２ａはステムを介して液体供給部４２の内部に連通している。
【００２５】
押下げヘッド６０はステムとともに押下げ操作可能となっている。操作面６１ａを下方（ポンプ４０の側）に向けて押して押下げヘッド６０を装着キャップ３０に対して図１に示す初期位置から下方に向けて押下げ操作することで、ポンプ４０を作動（吐出動作）させることができる。ポンプ４０が作動（吐出動作）すると、空気供給部４１の内部の空気と液体供給部４２の内部の液体とが互いに混合されつつステムからノズル６２に向けて圧送され、流路６２ａを通ってノズル６２の開口端から外部に吐出される。
【００２６】
押下げヘッド６０の押下げ操作が解除されると、押下げヘッド６０は図示しない復帰バネにより初期位置にまで上昇する。押下げヘッド６０が初期位置まで上昇すると、ポンプ４０の吸引動作が行われる。吸引動作においては、容器本体１０の内部の空気が所定量だけ吸引されて空気供給部４１に充填されるとともに、容器本体１０の内部に収容されている内容液が所定量だけ吸引用パイプ５０の吸引口５１から吸引されて液体供給部４２の内部に充填される。
【００２７】
ヘッド部６１の下部には円筒状の筒体６３が一体に設けられている。一方、装着キャップ３０の天壁３２には上方に向けて突出する支持筒３３が一体に設けられており、押下げヘッド６０を押下げ操作する際に筒体６３が支持筒３３に案内される。
【００２８】
ノズル６２の内部にはメッシュ部材７０と保護部８０とが設けられている。本実施の形態では、ノズル６２の先端にアダプタ７１が装着され、このアダプタ７１に保護部８０が一体に設けられるとともにメッシュ部材７０が固定されている。
【００２９】
より具体的には、図２、図３に示すように、アダプタ７１は、ノズル６２の開口端側の部分における内周面に対応した形状の外周面を有する角筒状に形成された嵌合筒部７１ａを備えている。アダプタ７１は、嵌合筒部７１ａがノズル６２の内面に嵌合するとともにアンダーカット係合することでノズル６２に固定されている。アダプタ７１がノズル６２に固定された状態において、嵌合筒部７１ａの内側はノズル６２の流路６２ａの一部を構成している。嵌合筒部７１ａのノズル６２の開口端の側となる先端には外向きに延びる鍔部７１ｂが全周に亘って一体に設けられている。鍔部７１ｂがノズル６２の開口端に当接することで、アダプタ７１は方向位置が規定されている。
【００３０】
保護部８０は、内容液が流通する複数の流通孔８１を備えた格子状に形成されている。より具体的には、保護部８０は、嵌合筒部７１ａの後端側の部分における内周面に一体に連なる１本の横リブ８０ａと３本の縦リブ８０ｂとを有している。横リブ８０ａは嵌合筒部７１ａの内面の横方向の一方側からノズル６２の軸心を通過して他方側に達するように横方向に延び、横長の角筒状に形成されたノズル６２の内部の流路６２ａを横方向に横断している。一方、３本の縦リブ８０ｂは、それぞれ横リブ８０ａ及びノズル６２の軸方向のそれぞれに対して垂直な方向に延び、それぞれ横長の角筒状に形成されたノズル６２の内部の流路６２ａを縦方向に横断している。嵌合筒部７１ａ、横リブ８０ａ及び縦リブ８０ｂで区画された部分がそれぞれ流通孔８１となっており、すなわち保護部８０には合計８つの流通孔８１が設けられている。
【００３１】
メッシュ部材７０は、例えば合成樹脂等により網状に形成された部材であり、嵌合筒部７１ａの後端面（ノズル６２の開口端とは反対側を向く端面）に、例えば接着、溶着等の手段によって固定されている。メッシュ部材７０はノズル６２の軸方向に垂直な姿勢で、保護部８０よりも流路６２ａの上流側において当該保護部８０に重ねて配置されている。保護部８０に重ねて配置されたメッシュ部材７０は、保護部８０の８つの流通孔８１の全体を覆っている。なお、嵌合筒部７１ａのメッシュ部材７０が固定される後端側の部分における外周面とノズル６２の内周面との間には若干の隙間が設けられている。
【００３２】
なお、メッシュ部材７０は、嵌合筒部７１ａの後端面に加えて横リブ８０ａ及び縦リブ８０ｂの後端面にも接着等の手段により固定された構成としてもよい。
【００３３】
上記構成を有する泡吐出容器１では、押下げヘッド６０が押下げ操作されると、ポンプ４０が作動し、吸引用パイプ５０から吸引された内容液が空気と混合されつつノズル６２にまで圧送される。ノズル６２にまで圧送されてきた内容液は、ノズル６２の内部の流路６２ａに配置されたメッシュ部材７０を通過することで肌理の細かい泡状となる。メッシュ部材７０を通過して肌理の細かい泡状となった内容液は、保護部８０の８つの流通孔８１を通過してノズル６２の開口端から外部に吐出される。
【００３４】
このように、本実施の形態の泡吐出具２０ないし泡吐出容器１によれば、ノズル６２の内部にメッシュ部材７０を配置した構成としたことにより、空気と混合されつつノズル６２にまで圧送されてきた内容液をノズル６２の内部において、より肌理の細かい泡状としてノズル６２から外部に吐出させることができる。
【００３５】
また、本実施の形態の泡吐出具２０ないし泡吐出容器１によれば、ノズル６２の内部に保護部８０を設けたことにより、ノズル６２の内部に細長い部材が不意に侵入した場合に、当該部材を保護部８０に当接させてメッシュ部材７０に当接する位置にまで侵入することを抑制することができる。これにより、ノズル６２の内部にメッシュ部材７０を配置した構成として内容液をより肌理の細かい泡状としてノズル６２から外部に吐出させることを可能としつつ、メッシュ部材７０の破損を抑制することができる。
【００３６】
さらに、本実施の形態の泡吐出具２０ないし泡吐出容器１では、ノズル６２を、その基端側から先端側に向けて徐々に軸線方向に垂直な断面積が拡大する形状とし、当該断面積が拡大した部分にメッシュ部材７０を配置するようにしているので、メッシュ部材７０としてより大きなものを用いることができる。これにより、内容液がメッシュ部材７０を通過する際の抵抗を低減させることができるので、内容液を吐出させるために必要な押下げヘッド６０の押下げ力を低減させて、より容易な操作で内容液をノズル６２から泡状に吐出することが可能となる。
【００３７】
さらに、本実施の形態の泡吐出具２０ないし泡吐出容器１によれば、保護部８０を複数の流通孔８１を備えた格子状に形成するようにしたので、内容液を流通させるための流通孔８１の面積を確保しつつ、ノズル６２の内部に侵入した部材がメッシュ部材７０に当接する位置にまで侵入することを効果的に抑制することができる。よって、内容液を吐出させるために必要な押下げヘッド６０の押下げ力を低減させつつ、メッシュ部材７０の破損を抑制することができる。
【００３８】
さらに、本実施の形態の泡吐出具２０ないし泡吐出容器１では、メッシュ部材７０を格子状に形成された保護部８０に重ねて配置するようにしたので、断面積を大きくしたノズル６２の流路６２ａに対応して、より大きなメッシュ部材７０を用いた場合であっても、メッシュ部材７０の各部を格子状の保護部８０により支持して、内容液を吐出する際の抵抗によってメッシュ部材７０に撓みが生じることを抑制することができる。これにより、内容液を、より安定して良質の泡状に吐出させることができる。
【００３９】
本実施の形態の泡吐出具２０ないし泡吐出容器１では、ノズル６２は、吸引用パイプ５０を挿通可能な形状に形成されている。すなわち、図２に示すように、ノズル６２の開口端における流路６２ａの横寸法及び縦寸法は、何れも、吸引用パイプ５０の外径寸法（図２中に二点鎖線で示す）よりも大きくなっている。このような構成の泡吐出具２０では、容器本体１０に装着される前に、多量の泡吐出具２０が運搬等される際、泡吐出具２０のノズル６２の内部に他の泡吐出具２０の吸引用パイプ５０が不意に侵入する虞がある。
【００４０】
これに対し、本実施の形態の泡吐出具２０では、保護部８０は、流通孔８１が吸引用パイプ５０を挿通不能な形状に形成されている。より具体的には、それぞれの流通孔８１は、その縦寸法及び横寸法の少なくとも何れか一方が、吸引用パイプ５０の外径寸法（図２中に二点鎖線で示す）よりも小さい形状に形成されている。したがって、泡吐出具２０のノズル６２の内部に他の泡吐出具２０の吸引用パイプ５０が不意に侵入しても、吸引用パイプ５０は流通孔８１を通過することができず、保護部８０すなわち横リブ８０ａまたは縦リブ８０ｂの少なくとも何れかに当接して、メッシュ部材７０に当接する位置にまで侵入することが抑制される。これにより、ノズル６２が吸引用パイプ５０を挿通可能な形状に形成されている場合であっても、ノズル６２の内部に不意に侵入した他の泡吐出具２０の吸引用パイプ５０によりメッシュ部材７０が破損されることを抑制することができる。
【００４１】
図４は変形例の泡吐出具２０の側面図であり、図５は変形例の泡吐出具２０のノズル６２の要部を拡大して示す拡大図であり、図６は変形例の泡吐出具２０のノズル６２を図５に示す矢視Ｃから見た図である。なお、図４〜図６において、前述した部材に対応する部材には、同一の符号を付してある。
【００４２】
図４〜図６に示す変形例の泡吐出具２０では、ノズル６２の先端に装着されたアダプタ７１は、図３に示すアダプタ７１の嵌合筒部７１ａと同様の嵌合筒部（図４〜図６には不図示）と嵌合筒部に連なる鍔部７１ｂを備えるとともに、鍔部７１ｂのノズル６２とは反対側を向く軸方向外側面に円筒状の突出筒７１ｃが一体に設けられた構成となっている。突出筒７１ｃは、ノズル６２の一部を構成し、その内側は内容液の流路６２ａとなっている。
【００４３】
突出筒７１ｃの鍔部７１ｂとは反対側を向く軸方向外側面には６本の爪部７１ｄが一体に設けられている。６本の爪部７１ｄは、それぞれ突出筒７１ｃの軸心に平行に延びるとともに先端において厚みが徐々に薄くなる形状を有し、突出筒７１ｃの軸心を中心として周方向に等間隔に並べて配置されている。
【００４４】
図４〜図６に示す変形例の泡吐出具２０では、保護部８０は嵌合筒部と鍔部７１ｂの内側に設けられている。より具体的には、図６に示すように、保護部８０は、それぞれノズル６２の一部を構成する嵌合筒部と鍔部７１ｂの内周面から突出して互いに端面を対向させて配置された一対の仕切り壁８０ｃを有している。それぞれの仕切り壁８０ｃは、鍔部７１ｂから嵌合筒部の後端部（ノズル６２の開口端とは反対側を向く端部）まで延びており、鍔部７１ｂと嵌合筒部の内側は一対の仕切り壁８０ｃにより区画された横長で略矩形の流通孔８１となっている。流通孔８１は流路６２ａの一部を構成しており、ノズル６２の流路６２ａに圧送されてきた内容液は、流通孔８１を通って外部に吐出される。
【００４５】
メッシュ部材７０は、嵌合筒部の後端面（ノズル６２の開口端とは反対側を向く端面）に例えば接着、溶着等の手段によって固定されて、ノズル６２の軸方向に垂直な姿勢で保護部８０よりも上流側において保護部８０に重ねて配置されている。なお、メッシュ部材７０を嵌合筒部の後端面に加えて一対の仕切り壁８０ｃの後端面（流路６２ａの上流側を向く面）にも例えば接着、溶着等の手段によって固定する構成としてもよい。
【００４６】
また、保護部８０は、それぞれの仕切り壁８０ｃの後端部に一体に設けられ、仕切り壁８０ｃの内面からノズル６２ないし突出筒７１ｃの軸心に向けて突出する一対の突起８０ｄを有している。一対の突起８０ｄは、それぞれ仕切り壁８０ｃの後端部の幅方向の中心位置に設けられている。
【００４７】
なお、符号９０は、流通時や不使用時に支持筒３３に装着されて押下げヘッド６０の押下げ操作を規制するストッパー部材である。
【００４８】
上記構成を有する変形例の泡吐出具２０を用いた泡吐出容器１においても、ノズル６２にまで圧送されてきた内容液は、嵌合筒部ないし保護部８０の後端面において流路６２ａに配置されたメッシュ部材７０を通過することで肌理の細かい泡状となる。また、メッシュ部材７０を通過して肌理の細かい泡状となった内容液は、その一部が６本の爪部７１ｄの隣り合う爪部７１ｄの間に入り込みつつこれらの爪部７１ｄの先端側から吐出されることにより、外周面に爪部７１ｄの間に対応した筋状の凹凸を有する形状で外部に吐出される。なお、６本の爪部７１ｄの先端を手のひら等の被吐出物に押し当てた状態で泡状の内容液を吐出させた場合には、隣り合う爪部７１ｄの間から泡状の内容液を放射状に吐出させることができる。
【００４９】
また、変形例の泡吐出具２０を用いた泡吐出容器１においても、嵌合筒部及び鍔部７１ｂの内側に保護部８０を設けたことにより、６本の爪部７１ｄの内側を通してノズル６２の内部に細長い部材が不意に侵入した場合に、当該部材を、保護部８０を構成する一対の仕切り壁８０ｃの何れか一方または両方に当接させて、当該部材がメッシュ部材７０に当接する位置にまで侵入することを抑制することができる。これにより、ノズル６２の内部にメッシュ部材７０を配置した構成として内容液をより肌理の細かい泡状としてノズル６２から外部に吐出させることを可能としつつ、メッシュ部材７０の破損を抑制することができる。また、それぞれの仕切り壁８０ｃの後端部に一対の突起８０ｄを設けたことにより、たとえ一対の仕切り壁８０ｃの間の流通孔８１に細長い部材が侵入したとしても、当該部材を突起８０ｄに当接させて、細長い部材がメッシュ部材７０に当接する位置にまで侵入することを抑制することができる。したがって、流通孔８１の断面積を確保しつつ、突出筒７１ｃの内部に侵入した細長い部材がメッシュ部材７０に当接する位置にまで侵入することを、さらに効果的に抑制することができる。
【００５０】
変形例の泡吐出具２０を用いた泡吐出容器１においても、保護部８０は、流通孔８１が吸引用パイプ５０を挿通不能な形状に形成されている。より具体的には、流通孔８１は、その縦寸法が吸引用パイプ５０の外径寸法（図６中に二点鎖線で示す）よりも小さい形状に形成されている。また、一対の突起８０ｄの間隔も吸引用パイプ５０の外径寸法よりも小さくなっている。したがって、ノズル６２の内部に他の泡吐出具２０の吸引用パイプ５０が不意に侵入しても、吸引用パイプ５０は一対の仕切り壁８０ｃの何れかに当接して流通孔８１を通過することができず、メッシュ部材７０に当接する位置にまで侵入することが抑制される。また、吸引用パイプ５０が、その断面が楕円形となるように変形して一対の仕切り壁８０ｃの流通孔８１に侵入した場合であっても、一対の仕切り壁８０ｃの後端部に設けられた突起８０ｄに吸引用パイプ５０が当接することで、吸引用パイプ５０がメッシュ部材７０に当接する位置にまで侵入することが抑制される。これにより、ノズル６２が吸引用パイプ５０を挿通可能な形状に形成されている場合であっても、突出筒７１ｃの内側に不意に侵入した他の泡吐出具２０の吸引用パイプ５０によりメッシュ部材７０が破損されることを抑制することができる。
【００５１】
また、変形例の泡吐出具２０を用いた泡吐出容器１では、一対の仕切り壁８０ｃの後端部の幅方向の中心位置に、嵌合筒部の後端面に連なるとともにノズル６２ないし流通孔８１の軸心に向けて突出する一対の突起８０ｄを設けているので、嵌合筒部の後端面に固定されたメッシュ部材７０の幅方向の中心位置の上下部分をそれぞれ突起８０ｄにより支持して、内容液を吐出する際の抵抗によってメッシュ部材７０に撓みが生じることを抑制することができる。これにより、内容液を、より安定して良質の泡状に吐出させることができる。
【００５２】
本発明は前記実施の形態に限定されるものではなく、その要旨を逸脱しない範囲で種々変更可能であることはいうまでもない。
【００５３】
例えば、前記実施の形態においては、保護部８０を、格子状に形成された構成または対の仕切り壁８０ｃと一対の突起８０ｄを有する構成としたが、これに限らず、内容液が流通する流通孔８１を備えてノズル６２の内部に設けられたものであれば、例えば保護部８０をリブ状に形成するなど、その形状は種々変更可能である。
【００５４】
さらに、メッシュ部材７０及び保護部８０は、ノズル６２の内部に設けられていれば、その位置は任意に変更可能である。
【００５５】
さらに、前記実施の形態においては、ノズル６２は、吸引用パイプ５０を挿通可能な形状に形成されたものとなっているが、これに限らず、吸引用パイプ５０を挿通不能な形状に形成されたものとすることもできる。
【符号の説明】
【００５６】
１    泡吐出容器
１０    容器本体
１１    口部
１２    胴部
２０    泡吐出具
３０    装着キャップ
３１    周壁
３２    天壁
３３    支持筒
４０    ポンプ
４１    空気供給部
４２    液体供給部
５０    吸引用パイプ
５１    吸引口
６０    押下げヘッド
６１    ヘッド部
６１ａ  操作面
６２    ノズル
６２ａ  流路
６３    筒体
７０    メッシュ部材
７１    アダプタ
７１ａ  嵌合筒部
７１ｂ  鍔部
７１ｃ  突出筒
７１ｄ  爪部
８０    保護部
８０ａ  横リブ
８０ｂ  縦リブ
８０ｃ  仕切り壁
８０ｄ  突起
８１    流通孔
９０    ストッパー部材
【図１】
2020186005.tif 000003
【図２】
2020186005.tif 000004
【図３】
2020186005.tif 000005
【図４】
2020186005.tif 000006
【図５】
2020186005.tif 000007
【図６】
2020186005.tif 000008